【事件の表示】
　平成１０年特許願第　６８７９７号「楽曲再生装置、楽曲再生方法、及び楽曲再生システム」拒絶査定不服審判事件〔平成１１年　９月２８日出願公開、特開平１１−２６５１８６〕について、次のとおり審決する。
【結　論】
　本件審判の請求は、成り立たない。
【理　由】
第１　手続の経緯
　本願は、平成１０年３月１８日の出願であって、平成１９年６月２１日付けの拒絶理由通知に対して同年８月２７日付けで手続補正がなされたが、同年１１月２０日付けで拒絶査定がなされ、これに対し、同年１２月２７日に拒絶査定不服審判が請求されるとともに、平成２０年１月２８日付けで手続補正（以下、「本件補正」という。）がなされたものである。
　
第２　平成２０年１月２８日付けの手続補正についての補正却下の決定
〔補正却下の決定の結論〕
　平成２０年１月２８日付けの手続補正を却下する。
　
〔理由〕
１．本件補正前及び本件補正後の本願発明
　本件補正は、明細書についてするもので、特許請求の範囲については、補正前（平成１９年８月２７日付け手続補正書）に、
「【請求項１】　曲情報を記憶する記憶手段と、
　上記曲情報を再生させるための操作入力を受け付ける操作入力手段と、
　上記曲情報を再生する再生手段と、
　携帯型の記録再生機器と接続するための接続手段と、
　上記接続手段を介して上記記録再生機器の固有の識別子を受信し、上記受信した固有の識別子が所定の識別子であるかを判断し、上記操作入力手段への操作入力に基づいて、上記記憶手段に記憶されている曲情報のうち所定の曲情報を上記再生手段に再生させ、上記受信した固有の識別子が所定の識別子であるかに関する判断の結果に基づいて、上記所定の曲情報を上記記録再生機器に対して送信するように上記接続手段を制御する制御手段とを備える楽曲再生装置。
　【請求項２】　上記曲情報は、オーディオ信号とビデオ信号とを備え、
　上記制御手段は、上記曲情報のうち上記オーディオ信号を、上記記録再生機器に送信させる
　ことを特徴とする請求項１に記載の楽曲再生装置。
　【請求項３】　上記制御手段は、上記再生手段に上記曲情報を再生させると同時に、上記曲情報を上記記録再生機器に送信させる
　ことを特徴とする請求項１に記載の楽曲再生装置。
　【請求項４】　上記制御手段は、上記操作入力手段によって曲情報の操作入力を受け付けた全ての曲情報の再生が終了したときに、上記記憶手段から上記曲情報を読み出して、読み出した曲情報を上記記録再生機器に送信させる
　ことを特徴とする請求項１に記載の楽曲再生装置。
　【請求項５】　情報センターと通信する通信手段と、
　上記情報センターから送信される曲情報を受信するための課金処理を行う課金手段とを備え、
　上記制御手段は、上記課金手段に上記曲情報の課金処理を行わせ、上記課金手段による課金処理が終了したときに、上記曲情報を上記情報センターから上記通信手段に受信させ、上記記憶手段に上記受信した曲情報を記憶させる
　ことを特徴とする請求項１に記載の楽曲再生装置。
　【請求項６】　上記制御手段は、上記記録再生機器の記憶可能容量と上記曲情報のデータ量との比較結果に基づいて、上記曲情報を上記記録再生機器に送信させる
　ことを特徴とする請求項１に記載の楽曲再生装置。
　【請求項７】　上記再生手段の出力信号と入力音声信号とを合成して出力する出力手段を備えることを特徴とする請求項１に記載の楽曲再生装置。
　【請求項８】　曲情報を再生させるための操作入力を受け付ける操作入力ステップと、
　携帯型の記録再生機器と接続するための接続手段を介して上記記録再生機器の固有の識別子を受信する識別子受信ステップと、
　上記受信した固有の識別子が所定の識別子であるかを判断する判断ステップと、
　上記受け付けた操作入力に基づいて、曲情報が記憶された記憶手段に記憶されている曲情報のうち所定の曲情報を再生させる再生ステップと、
　上記受信した固有の識別子が所定の識別子であるかに関する判断の結果に基づいて、上記所定の曲情報を上記記録再生機器に対して送信する曲情報送信ステップと
　を含む楽曲再生方法。
　【請求項９】　上記曲情報は、オーディオ信号とビデオ信号とを含み、
　上記曲情報送信ステップでは、上記曲情報のうち、上記オーディオ信号を上記記録再生機器に送信する
　ことを特徴とする請求項８に記載の楽曲再生方法。
　【請求項１０】　上記曲情報を再生させる再生ステップと、上記曲情報を上記記録再生機器に送信させる曲情報送信ステップとを同時に実行する
　ことを特徴とする請求項８に記載の楽曲再生方法。
　【請求項１１】　上記曲情報の操作入力を受け付けた全ての曲情報の再生が終了したときに、上記記憶手段から上記曲情報を読み出して、読み出した曲情報を上記記録再生機器に送信する
　ことを特徴とする請求項８に記載の楽曲再生方法。
　【請求項１２】　情報センターから送信される曲情報を受信するための課金処理を行う課金ステップと、
　上記課金処理が終了したときに、上記情報センターから送信された曲情報を受信する受信ステップと、
　上記受信ステップで受信した曲情報を記憶手段に記憶させる記憶ステップと
を更に含むことを特徴とする請求項８に記載の楽曲再生方法。
　【請求項１３】　上記曲情報送信ステップでは、上記記録再生機器の記憶可能容量と上記曲情報のデータ量との比較結果に基づいて、上記曲情報を上記記録再生機器に送信する
　ことを特徴とする請求項８に記載の楽曲再生方法。
　【請求項１４】　上記再生ステップで再生された所定の曲情報を含む出力信号と入力音声信号とを合成して出力する出力ステップを更に含むことを特徴とする請求項８に記載の楽曲再生方法。
　【請求項１５】　楽曲再生装置と記録再生機器とを備える楽曲再生システムであって、
　上記楽曲再生装置は、
　曲情報を記憶する記憶手段と、
　上記曲情報を再生させるための操作入力を受け付ける操作入力手段と、
　上記曲情報を再生する再生手段と、
　記録再生機器と接続するための接続手段と、
　上記接続手段を介して上記記録再生機器の固有の識別子を受信させ、上記受信した固有の識別子が所定の識別子であるかを判断し、上記操作入力手段への操作入力に基づいて、上記記憶手段に記憶されている曲情報のうち所定の曲情報を上記再生手段に再生させ、上記受信した固有の識別子が所定の識別子であるかの判断結果に基づいて、上記所定の曲情報を上記記録再生機器に対して送信させる制御手段とを備え、
　上記記録再生機器は、
　上記楽曲再生装置と接続するための他の接続手段と、
　曲情報を記憶する他の記憶手段と、
　上記曲情報を再生する他の再生手段と、
　上記他の接続手段を介して、記録再生機器の固有の識別子を送信させ、上記所定の曲情報を受信し、上記受信した曲情報を上記他の記憶手段に記憶させ、
　上記記憶手段に記憶させた上記所定の曲情報を上記再生手段に再生させる他の制御手段と
を備える
ことを特徴とする楽曲再生システム。
　【請求項１６】　上記曲情報は、オーディオ信号とビデオ信号とを備え、
　上記制御手段は、上記曲情報のうち上記オーディオ信号を、上記記録再生機器に送信させる
　ことを特徴とする請求項１５に記載の楽曲再生システム。
　【請求項１７】　上記制御手段は、上記再生手段に上記曲情報を再生させると同時に、上記曲情報を上記記録再生機器に送信させる
　ことを特徴とする請求項１５に記載の楽曲再生システム。
　【請求項１８】　上記制御手段は、上記操作入力手段によって曲情報の操作入力を受け付けた全ての曲情報の再生が終了したときに、上記記憶手段から上記曲情報を読み出して、読み出した曲情報を上記記録再生機器に送信させる
　ことを特徴とする請求項１５に記載の楽曲再生システム。
　【請求項１９】　楽曲再生装置は、情報センターと通信する通信手段と、上記情報センターから送信される曲情報を受信するための課金処理を行う課金手段とを更に備え、
　上記制御手段は、上記課金手段に上記曲情報の課金処理を行わせ、上記課金手段による課金処理が終了したときに、上記曲情報を上記情報センターから上記通信手段に受信させ、上記記憶手段に上記受信した曲情報を記憶させる
　ことを特徴とする請求項１５に記載の楽曲再生システム。
　【請求項２０】　上記制御手段は、上記記録再生機器の記憶可能容量と上記曲情報のデータ量との比較結果に基づいて、上記曲情報を上記記録再生機器に送信させる
　ことを特徴とする請求項１５に記載の楽曲再生システム。
　【請求項２１】　上記楽曲再生装置は、上記再生手段の出力信号と入力音声信号とを合成して出力する出力手段を更に備える
　ことを特徴とする請求項１５に記載の楽曲再生システム。」
とあったものを、補正後（平成２０年１月２８日付け手続補正書）に、
「【請求項１】
　曲情報を記憶する記憶手段と、
　上記曲情報を再生させるための操作入力を受け付ける操作入力手段と、
　曲情報を再生する再生手段と、
　携帯型の記録再生機器と接続するための接続手段と、
　上記操作入力手段への操作入力に基づいて、上記記憶手段に記憶されている曲情報のうち所定の曲情報を上記再生手段に再生させ、上記接続手段を介して上記記録再生機器の固有の識別子を受信し、上記受信した固有の識別子が所定の識別子であるときに、上記記録再生機器の記憶可能容量が上記所定の曲情報のデータ量以上であれば、上記接続手段を制御して上記所定の曲情報を上記記録再生機器に送信させ、上記記録再生機器の記憶可能容量が上記所定の曲情報のデータ量未満であれば、上記操作入力手段への操作入力に基づいて上記曲情報の中から選択された曲情報のデータ量が上記記録再生機器の記憶可能容量未満になったときに、上記制御手段を制御して上記記録再生機器に上記選択された曲情報を送信させる制御手段と
　を備える楽曲再生装置。
　【請求項２】
　上記曲情報は、オーディオ信号とビデオ信号とを生成するための情報を各々備え、
　上記制御手段は、上記所定の曲情報のうち上記オーディオ信号を生成するための情報を、上記記録再生機器に送信させる
　ことを特徴とする請求項１に記載の楽曲再生装置。
　【請求項３】
　上記制御手段は、上記再生手段に上記所定の曲情報を再生させると同時に、上記接続手段を制御して上記所定の曲情報を上記記録再生機器に送信させる
　ことを特徴とする請求項１に記載の楽曲再生装置。
　【請求項４】
　上記制御手段は、上記操作入力手段によって曲情報の選択入力を受け付けた全ての上記所定の曲情報の再生が終了したときに、上記記憶手段から上記所定の曲情報を読み出して、上記接続手段を制御して読み出した上記所定の曲情報を上記記録再生機器へ送信させる
　ことを特徴とする請求項１に記載の楽曲再生装置。
　【請求項５】
　情報センターと通信する通信手段と、
　上記情報センターから送信される曲情報を受信するための課金処理を行う課金手段とを備え、
　上記制御手段は、上記課金手段に上記曲情報の課金処理を行わせ、上記課金手段による課金処理が終了したときに、上記曲情報を上記情報センターから上記通信手段に受信させ、上記記憶手段に上記受信した曲情報を記憶させる
　ことを特徴とする請求項１に記載の楽曲再生装置。
　【請求項６】
　上記再生手段の出力信号と入力音声信号とを合成して出力する出力手段を備える
　ことを特徴とする請求項１に記載の楽曲再生装置。
【請求項７】
　曲情報を再生させるための操作入力を受け付ける操作入力ステップと、
　携帯型の記録再生機器と接続するための接続手段を介して上記記録再生機器の固有の識別子を受信する識別子受信ステップと、
　上記受信した固有の識別子が所定の識別子であるかを判断する判断ステップと、
　上記受け付けた操作入力に基づいて、曲情報が記憶された記憶手段に記憶されている曲情報のうち所定の曲情報を再生させる再生ステップと、
　上記受信した固有の識別子が所定の識別子であるときに、上記記録再生機器の記憶可能容量が上記所定の曲情報のデータ量以上である場合には、上記接続手段を制御して上記所定の曲情報を上記記録再生機器に送信させ、上記記録再生機器の記憶可能容量が上記所定の曲情報のデータ量未満である場合には、上記操作入力手段への操作入力に基づいて上記曲情報の中から選択された曲情報のデータ量が上記記録再生機器の記憶可能容量未満になった場合に、上記制御手段を制御して上記記録再生機器に上記選択された曲情報を送信する曲情報送信ステップと
　を含む楽曲再生方法。
【請求項８】
　上記曲情報は、オーディオ信号とビデオ信号とを生成するための情報を各々含み、
　上記曲情報送信ステップでは、上記曲情報のうち、上記オーディオ信号を生成するための情報を上記記録再生機器に送信する
　ことを特徴とする請求項７に記載の楽曲再生方法。
【請求項９】
　上記曲情報を再生させる再生ステップと、上記曲情報を上記記録再生機器に送信させる曲情報送信ステップとを同時に実行する
　ことを特徴とする請求項７に記載の楽曲再生方法。
【請求項１０】
　上記曲情報の操作入力を受け付けた全ての曲情報の再生が終了したときに、上記記憶手段から上記曲情報を読み出して、読み出した曲情報を上記記録再生機器に送信する
　ことを特徴とする請求項７に記載の楽曲再生方法。
【請求項１１】
　情報センターから送信される曲情報を受信するための課金処理を行う課金ステップと、
　上記課金処理が終了したときに、上記情報センターから送信された曲情報を受信する受信ステップと、
　上記受信ステップで受信した曲情報を記憶手段に記憶させる記憶ステップとを更に含むことを特徴とする請求項７に記載の楽曲再生方法。
【請求項１２】
　上記再生ステップで再生された所定の曲情報を含む出力信号と入力音声信号とを合成して出力する出力ステップを更に含むことを特徴とする請求項７に記載の楽曲再生方法。
【請求項１３】
　楽曲再生装置と記録再生機器とを備える楽曲再生システムであって、
　上記楽曲再生装置は、
　曲情報を記憶する記憶手段と、
　上記曲情報を再生させるための操作入力を受け付ける操作入力手段と、
　上記曲情報を再生する再生手段と、
　記録再生機器と接続するための接続手段と、
　上記操作入力手段への操作入力に基づいて、上記記憶手段に記憶されている曲情報のうち所定の曲情報を上記再生手段に再生させ、上記接続手段を介して上記記録再生機器の固有の識別子を受信し、上記受信した固有の識別子が所定の識別子であるときに、上記記録再生機器の記憶可能容量が上記所定の曲情報のデータ量以上である場合には、上記接続手段を制御して上記所定の曲情報を上記記録再生機器に送信させ、上記記録再生機器の記憶可能容量が上記所定の曲情報のデータ量未満である場合には、上記操作入力手段への操作入力に基づいて上記曲情報の中から選択された曲情報のデータ量が上記記録再生機器の記憶可能容量未満になった場合に、上記制御手段を制御して上記記録再生機器に上記選択された曲情報を送信させる制御手段とを備え
　上記記録再生機器は、
　上記楽曲再生装置と接続するための他の接続手段と、
　曲情報を記憶する他の記憶手段と、
　上記曲情報を再生する他の再生手段と、
　上記他の接続手段を介して、記録再生機器の固有の識別子を送信させ、上記所定の曲情報を受信し、上記受信した曲情報を上記他の記憶手段に記憶させ、
　上記記憶手段に記憶させた上記所定の曲情報を上記再生手段に再生させる他の制御手段とを備えることを特徴とする楽曲再生システム。
【請求項１４】
　上記曲情報は、オーディオ信号とビデオ信号とを生成するための情報を各々備え、
　上記制御手段は、上記曲情報のうち上記オーディオ信号を生成するための情報を、上記記録再生機器に送信させる
　ことを特徴とする請求項１３に記載の楽曲再生システム。
【請求項１５】
　上記制御手段は、上記再生手段に上記曲情報を再生させると同時に、上記曲情報を上記記録再生機器に送信させる
　ことを特徴とする請求項１３に記載の楽曲再生システム。
【請求項１６】
　上記制御手段は、上記操作入力手段によって曲情報の操作入力を受け付けた全ての曲情報の再生が終了したときに、上記記憶手段から上記曲情報を読み出して、読み出した曲情報を上記記録再生機器に送信させる
　ことを特徴とする請求項１３に記載の楽曲再生システム。
【請求項１７】
　楽曲再生装置は、情報センターと通信する通信手段と、上記情報センターから送信される曲情報を受信するための課金処理を行う課金手段とを更に備え、
　上記制御手段は、上記課金手段に上記曲情報の課金処理を行わせ、上記課金手段による課金処理が終了したときに、上記曲情報を上記情報センターから上記通信手段に受信させ、上記記憶手段に上記受信した曲情報を記憶させる
　ことを特徴とする請求項１３に記載の楽曲再生システム。
【請求項１８】
　上記楽曲再生装置は、上記再生手段の出力信号と入力音声信号とを合成して出力する出力手段を更に備える
　ことを特徴とする請求項１３に記載の楽曲再生システム。」
と補正しようとするものである。
　
　ここで、本件補正後の請求項１、７及び１３において、「上記記録再生機器の記憶可能容量が上記所定の曲情報のデータ量未満」である場合の「上記制御手段を制御して上記記録再生機器に上記選択された曲情報を送信」という記載より前に「制御手段」という記載はなく、「上記記録再生機器の記憶可能容量が上記所定の曲情報のデータ量未満」である場合以外である「上記記録再生機器の記憶可能容量が上記所定の曲情報のデータ量以上」の場合について「上記接続手段を制御して上記所定の曲情報を上記記録再生機器に送信させ」と記載されていることから見て、上記「制御手段」は、上記「接続手段」の誤記であると認められ、また、本件補正後の請求項１では、「曲情報を記憶する記憶手段と、上記曲情報を再生させるための操作入力を受け付ける操作入力手段と、曲情報を再生する再生手段」と記載されているが、本件補正後の請求項１の楽曲再生装置に関する発明に対応する楽曲再生方法に関する発明を記載した本件補正後の請求項７では、「上記受け付けた操作入力に基づいて、曲情報が記憶された記憶手段に記憶されている曲情報のうち所定の曲情報を再生させる再生ステップ」と記載され、本件補正後の請求項１の楽曲再生装置に対応する楽曲再生システムに関する発明を記載した本件補正後の請求項１３では、「曲情報を記憶する記憶手段と、上記曲情報を再生させるための操作入力を受け付ける操作入力手段と、上記曲情報を再生する再生手段」と記載されていることから見て、上記本件補正後の請求項１における「曲情報を再生する再生手段」は、「上記曲情報を再生する再生手段」の誤記であると認められることから、本件補正後の請求項１、７及び１３については、以下の記載として検討する。
　
「【請求項１】
　曲情報を記憶する記憶手段と、
　上記曲情報を再生させるための操作入力を受け付ける操作入力手段と、
　上記曲情報を再生する再生手段と、
　携帯型の記録再生機器と接続するための接続手段と、
　上記操作入力手段への操作入力に基づいて、上記記憶手段に記憶されている曲情報のうち所定の曲情報を上記再生手段に再生させ、上記接続手段を介して上記記録再生機器の固有の識別子を受信し、上記受信した固有の識別子が所定の識別子であるときに、上記記録再生機器の記憶可能容量が上記所定の曲情報のデータ量以上であれば、上記接続手段を制御して上記所定の曲情報を上記記録再生機器に送信させ、上記記録再生機器の記憶可能容量が上記所定の曲情報のデータ量未満であれば、上記操作入力手段への操作入力に基づいて上記曲情報の中から選択された曲情報のデータ量が上記記録再生機器の記憶可能容量未満になったときに、上記接続手段を制御して上記記録再生機器に上記選択された曲情報を送信させる制御手段と
　を備える楽曲再生装置。
【請求項７】
　曲情報を再生させるための操作入力を受け付ける操作入力ステップと、
　携帯型の記録再生機器と接続するための接続手段を介して上記記録再生機器の固有の識別子を受信する識別子受信ステップと、
　上記受信した固有の識別子が所定の識別子であるかを判断する判断ステップと、
　上記受け付けた操作入力に基づいて、曲情報が記憶された記憶手段に記憶されている曲情報のうち所定の曲情報を再生させる再生ステップと、
　上記受信した固有の識別子が所定の識別子であるときに、上記記録再生機器の記憶可能容量が上記所定の曲情報のデータ量以上である場合には、上記接続手段を制御して上記所定の曲情報を上記記録再生機器に送信させ、上記記録再生機器の記憶可能容量が上記所定の曲情報のデータ量未満である場合には、上記操作入力手段への操作入力に基づいて上記曲情報の中から選択された曲情報のデータ量が上記記録再生機器の記憶可能容量未満になった場合に、上記接続手段を制御して上記記録再生機器に上記選択された曲情報を送信する曲情報送信ステップと
　を含む楽曲再生方法。
【請求項１３】
　楽曲再生装置と記録再生機器とを備える楽曲再生システムであって、
　上記楽曲再生装置は、
　曲情報を記憶する記憶手段と、
　上記曲情報を再生させるための操作入力を受け付ける操作入力手段と、
　上記曲情報を再生する再生手段と、
　記録再生機器と接続するための接続手段と、
　上記操作入力手段への操作入力に基づいて、上記記憶手段に記憶されている曲情報のうち所定の曲情報を上記再生手段に再生させ、上記接続手段を介して上記記録再生機器の固有の識別子を受信し、上記受信した固有の識別子が所定の識別子であるときに、上記記録再生機器の記憶可能容量が上記所定の曲情報のデータ量以上である場合には、上記接続手段を制御して上記所定の曲情報を上記記録再生機器に送信させ、上記記録再生機器の記憶可能容量が上記所定の曲情報のデータ量未満である場合には、上記操作入力手段への操作入力に基づいて上記曲情報の中から選択された曲情報のデータ量が上記記録再生機器の記憶可能容量未満になった場合に、上記接続手段を制御して上記記録再生機器に上記選択された曲情報を送信させる制御手段とを備え
　上記記録再生機器は、
　上記楽曲再生装置と接続するための他の接続手段と、
　曲情報を記憶する他の記憶手段と、
　上記曲情報を再生する他の再生手段と、
　上記他の接続手段を介して、記録再生機器の固有の識別子を送信させ、上記所定の曲情報を受信し、上記受信した曲情報を上記他の記憶手段に記憶させ、
　上記記憶手段に記憶させた上記所定の曲情報を上記再生手段に再生させる他の制御手段とを備えることを特徴とする楽曲再生システム。」
　
　すると、本件補正は、
　本件補正前の請求項６、１３、２０を削除し、これに伴い、本件補正前の請求項７ないし１２、１４ないし１９、２１の請求項の番号を繰り上げて、それぞれ本件補正後の請求項６ないし１１、１２ないし１７、１８とし、
　本件補正前の請求項１に記載した発明を特定するために必要な事項である「制御手段」に関して、「上記接続手段を介して上記記録再生機器の固有の識別子を受信し、上記受信した固有の識別子が所定の識別子であるかを判断し、上記操作入力手段への操作入力に基づいて、上記記憶手段に記憶されている曲情報のうち所定の曲情報を上記再生手段に再生させ、上記受信した固有の識別子が所定の識別子であるかに関する判断の結果に基づいて、上記所定の曲情報を上記記録再生機器に対して送信するように上記接続手段を制御する制御手段」とあったものを、本件補正後の請求項１において、「上記操作入力手段への操作入力に基づいて、上記記憶手段に記憶されている曲情報のうち所定の曲情報を上記再生手段に再生させ、上記接続手段を介して上記記録再生機器の固有の識別子を受信し、上記受信した固有の識別子が所定の識別子であるときに、上記記録再生機器の記憶可能容量が上記所定の曲情報のデータ量以上であれば、上記接続手段を制御して上記所定の曲情報を上記記録再生機器に送信させ、上記記録再生機器の記憶可能容量が上記所定の曲情報のデータ量未満であれば、上記操作入力手段への操作入力に基づいて上記曲情報の中から選択された曲情報のデータ量が上記記録再生機器の記憶可能容量未満になったときに、上記接続手段を制御して上記記録再生機器に上記選択された曲情報を送信させる制御手段」と限定し、
　本件補正前の請求項２に記載した発明を特定するために必要な事項である「曲情報」に関して、「上記曲情報は、オーディオ信号とビデオ信号とを備え」とあったものを、本件補正後の請求項２において、「上記曲情報は、オーディオ信号とビデオ信号とを生成するための情報を各々備え」と限定し、本件補正前の請求項２に記載した発明を特定するために必要な事項である「制御手段」に関して、「上記制御手段は、上記曲情報のうち上記オーディオ信号を、上記記録再生機器に送信させる」とあったものを、本件補正後の請求項２において、「上記制御手段は、上記所定の曲情報のうち上記オーディオ信号を生成するための情報を、上記記録再生機器に送信させる」と限定し、
　本件補正前の請求項３に記載した発明を特定するために必要な事項である「制御手段」に関して、「上記制御手段は、上記再生手段に上記曲情報を再生させると同時に、上記曲情報を上記記録再生機器に送信させる」とあったものを、本件補正後の請求項３において、「上記制御手段は、上記再生手段に上記所定の曲情報を再生させると同時に、上記接続手段を制御して上記所定の曲情報を上記記録再生機器に送信させる」と限定し、
　本件補正前の請求項４に記載した発明を特定するために必要な事項である「制御手段」に関して、「上記制御手段は、上記操作入力手段によって曲情報の操作入力を受け付けた全ての曲情報の再生が終了したときに、上記記憶手段から上記曲情報を読み出して、読み出した曲情報を上記記録再生機器に送信させる」とあったものを、本件補正後の請求項４において、「上記制御手段は、上記操作入力手段によって曲情報の選択入力を受け付けた全ての上記所定の曲情報の再生が終了したときに、上記記憶手段から上記所定の曲情報を読み出して、上記制御手段を制御して読み出した上記所定の曲情報を上記記録再生機器へ送信させる」と限定し、
　本件補正前の請求項８に記載した発明を特定するために必要な事項である「曲情報送信ステップ」に関して、「上記受信した固有の識別子が所定の識別子であるかに関する判断の結果に基づいて、上記所定の曲情報を上記記録再生機器に対して送信する曲情報送信ステップ」とあったものを、本件補正後の請求項７において、「上記受信した固有の識別子が所定の識別子であるときに、上記記録再生機器の記憶可能容量が上記所定の曲情報のデータ量以上である場合には、上記接続手段を制御して上記所定の曲情報を上記記録再生機器に送信させ、上記記録再生機器の記憶可能容量が上記所定の曲情報のデータ量未満である場合には、上記操作入力手段への操作入力に基づいて上記曲情報の中から選択された曲情報のデータ量が上記記録再生機器の記憶可能容量未満になった場合に、上記接続手段を制御して上記記録再生機器に上記選択された曲情報を送信する曲情報送信ステップ」と限定し、
　本件補正前の請求項９に記載した発明を特定するために必要な事項である「曲情報」に関して、「上記曲情報は、オーディオ信号とビデオ信号とを含み」とあったものを、本件補正後の請求項８において、「上記曲情報は、オーディオ信号とビデオ信号とを生成するための情報を各々含み」と限定し、本件補正前の請求項９に記載した発明を特定するために必要な事項である「曲情報送信ステップ」に関して、「上記曲情報送信ステップでは、上記曲情報のうち、上記オーディオ信号を上記記録再生機器に送信する」とあったものを、本件補正後の請求項８において、「上記曲情報送信ステップでは、上記曲情報のうち、上記オーディオ信号を生成するための情報を上記記録再生機器に送信する」と限定し、
　本件補正前の請求項１５に記載した発明を特定するために必要な事項である「制御手段」に関して、「上記接続手段を介して上記記録再生機器の固有の識別子を受信させ、上記受信した固有の識別子が所定の識別子であるかを判断し、上記操作入力手段への操作入力に基づいて、上記記憶手段に記憶されている曲情報のうち所定の曲情報を上記再生手段に再生させ、上記受信した固有の識別子が所定の識別子であるかの判断結果に基づいて、上記所定の曲情報を上記記録再生機器に対して送信させる制御手段」とあったものを、本件補正後の請求項１３において、「上記操作入力手段への操作入力に基づいて、上記記憶手段に記憶されている曲情報のうち所定の曲情報を上記再生手段に再生させ、上記接続手段を介して上記記録再生機器の固有の識別子を受信し、上記受信した固有の識別子が所定の識別子であるときに、上記記録再生機器の記憶可能容量が上記所定の曲情報のデータ量以上である場合には、上記接続手段を制御して上記所定の曲情報を上記記録再生機器に送信させ、上記記録再生機器の記憶可能容量が上記所定の曲情報のデータ量未満である場合には、上記操作入力手段への操作入力に基づいて上記曲情報の中から選択された曲情報のデータ量が上記記録再生機器の記憶可能容量未満になった場合に、上記接続手段を制御して上記記録再生機器に上記選択された曲情報を送信させる制御手段」と限定し、
　本件補正前の請求項１６に記載した発明を特定するために必要な事項である「曲情報」に関して、「上記曲情報は、オーディオ信号とビデオ信号とを備え」とあったものを、本件補正後の請求項１４において、「上記曲情報は、オーディオ信号とビデオ信号とを生成するための情報を各々備え」と限定し、本件補正前の請求項１６に記載した発明を特定するために必要な事項である「制御手段」に関して、「上記制御手段は、上記曲情報のうち上記オーディオ信号を、上記記録再生機器に送信させる」とあったものを、本件補正後の請求項１４において、「上記制御手段は、上記曲情報のうち上記オーディオ信号を生成するための情報を、上記記録再生機器に送信させる」と限定したものであり、かつ、本件補正後の請求項１ないし１８に記載された発明は、本件補正前の請求項１ないし２１に記載された発明と、産業上の利用分野及び解決しようとする課題が同一であるので、本件補正は、平成１８年法律第５５号改正附則第３条第１項によりなお従前の例によるとされる同法による改正前の特許法（以下、「平成１８年改正前特許法」という。）第１７条の２第４項第１号の請求項の削除及び第２号の特許請求の範囲の減縮を目的とするものに該当する。
　
　そこで、本件補正後における特許請求の範囲に記載されている事項により構成される発明が特許出願の際独立して特許を受けることができるものであるか（平成１８年改正前特許法第１７条の２第５項において準用する同法第１２６条第５項に規定する要件を満たすか）否かを、請求項１に係る発明（以下、「本願補正発明」という。）について以下に検討する。 
 　
２．刊行物の記載事項
＜刊行物１＞
　原査定の拒絶の理由に引用された、本願出願前に頒布された刊行物である特開平８−２２１０８７号公報（以下、「刊行物１」という。）には、図面とともに以下の技術事項が記載されている。
（原文中、○内に数字のある記号は、［］内に数字を付して代替する。）
　
（ア）「【０００３】
　　【発明が解決しようとする課題】
　ところで、カラオケ装置の普及に伴い、カラオケ店等以外の場所で歌唱の練習をしたり、あるいはカラオケ演奏曲をＢＧＭとして利用したりするために、気に入った楽曲のカラオケソフトに対する要望も高まることとなる。また、カラオケを楽しんでいる時に気に入った楽曲を見いだした場合等においては、その楽曲の歌手の歌声入りの音楽ソフトを入手したくなる場合もある。このような場合には、カラオケを楽しむのとは別の機会にわざわざミュージックショップ等に赴いて、ＣＤやミュージックテープ等の音楽ソフトを買い求める手間がかかることとなる。また、一般のＣＤやミュージックテープ等には、収録時間を埋める目的から、例えば少なくとも１０曲前後の曲が収められており、多くの場合は、あえて所望しない曲も抱き合わせで購入しなければならず不経済であった。
　　　【０００４】
　本発明の課題は、上述のような不便を解消するために、個々のカラオケ利用者の要望に応じて、音楽ソースを随時供給する機能を備えたカラオケ装置を提供することにある。」
　
（イ）「【０００５】      
　　【課題を解決するための手段】
　上述の課題を解決するために、本発明のカラオケ装置は、下記のような要件を含むことを特徴とする。
［1］演奏曲記憶手段：各演奏曲のカラオケ演奏データを記憶する。
［2］カラオケ演奏データ選択手段：演奏曲記憶手段に記憶されたカラオケ演奏データのうち、所望の演奏曲に対応するカラオケ演奏データを選択する。
［3］再生音データ記録手段：記録媒体が着脱され、カラオケ演奏データ選択手段により選択されたカラオケ演奏データに基づくカラオケ再生音データを記録媒体に記録する。
［4］記録制御手段：上記記録を指令する記録指令信号を受けて、演奏曲記憶手段によるカラオケ演奏データの読み出しと、再生音データ記録手段によるカラオケ再生音データの記録媒体への記録とを制御する。」
　
（ウ）「【００１０】
　　【発明の作用及び効果】
　本発明のカラオケ装置には、カラオケ演奏データを演奏曲記憶手段から適宜読み出してカラオケ演奏を行う通常のカラオケ装置としての機能に加え、所望のカラオケ演奏データに基づくカラオケ再生音データを任意の記録媒体に記録する機能を備えており、演奏曲の再生音データを再生音データ記録手段により随時ＣＤやカセットテープ等の記録媒体に記録することができる。この場合、カラオケ再生音データの記録媒体への記録を制御する記録制御手段が、金銭の投入に伴い金銭検出部から発せられる記録指令信号により駆動される構成とすることで、装置の使用者は、気に入った演奏曲の再生音データが記録された媒体、すなわちＣＤやテープ等をカラオケ装置から購入するということになる。これによって、それら媒体の購入のためにわざわざミュージックショップ等に出向く必要がなくなる。また、所望の曲のみを自由に選曲して記録媒体に収めることができるので、購入者の立場としては、通常販売されているＣＤやミュージックテープのように、あえて所望しない曲を抱き合わせで購入させられる難点も回避することができる。」
　
（エ）「【００１２】
　　【実施例】
　以下、本発明の一実施例を図面に基づいて説明する。
　図１は本発明のカラオケ装置の構成例を示すブロック図である。カラオケ装置１は、いわゆる通信カラオケ装置として構成されており、ホストコンピュータ２から公共の電話回線等の通信手段３を介して、カラオケ装置１の中核部であるカラオケコマンダ４へカラオケデータが送られる。このカラオケコマンダ４に通信手段３、歌詞及び背景映像等を表示するモニタ７、アンプミキサ８等が接続され、アンプミキサ８にマイク５（音声入力手段）及びスピーカ６がつながれる。
　　　【００１３】
　カラオケコマンダ４はカラオケ制御部１０を備え、ここにＣＰＵ１１、ＲＯＭ１２、ＲＡＭ１３等を内蔵していて、カラオケ装置１の全体の制御を司る。カラオケ制御部１０には、ホストコンピュータ２とカラオケコマンダ４との間で通信を行うモデム１５、ホストコンピュータ２から配信されるカラオケ演奏データ等を蓄積するカラオケデータ記憶部１６、その記憶部１６のカラオケ演奏データ記憶部（演奏曲記憶手段）２４に記憶されたカラオケ演奏データを出力するＭＩＤＩインターフェース１７ａ、ＭＩＤＩインターフェース１７ａからのカラオケ演奏データに基づいて演奏音を合成する楽音合成部１７、モニタ制御部１８、カラオケ演奏曲の予約を行うための入力部１９が接続されている。
　　　【００１４】
　カラオケデータ記憶部１６は、そのカラオケ演奏データ記憶部２４に、カラオケ演奏データを多数、曲名と対応づけて記憶している。このカラオケ演奏データは、例えば、ＭＩＤＩ（Musical Instrument Digital Interface）規格に基づいて構成され、その情報は少なくとも音高、音の強さ、音の長さ、音色等の信号データを含む。また、歌詞データ記憶部２５は各カラオケ曲の歌詞データを、背景映像データ記憶部２６は各曲に対応するそれぞれの背景映像データ、あるいは各曲と一対一では対応しない幾つかの異なる背景映像データをそれぞれ記憶している。楽音合成部１７は、例えばシンセサイザ等で構成され、カラオケ演奏データ記憶部２４から送られてくるカラオケ演奏データに基づいて、各楽器の演奏音を合成する音源となる。この演奏信号は、アンプミキサ８に送られて増幅されると
ともに、マイク５を介して入力される利用者の歌声と適度の割合でミキシングされ、スピーカ６から出力される。」
　
（オ）「【００１５】
　次に、モニタ制御部１８は、歌詞データ記憶部２５から送られてくる歌詞データを、歌詞テロップとしてＣＲＴ等のモニタ７に視覚的に表示可能な映像信号に変換するとともに、背景映像データ記憶部２６から送られる背景映像データを歌詞テロップと合成してモニタ７に表示する。かつ、曲の演奏の進行に同期して歌詞テロップを順次反転させ、利用者に該当する歌唱部分を知らせる役割も果たす。」
　
（カ）「【００１６】
　また、楽音合成部１７には、カラオケ演奏データに基づいて合成されたカラオケ演奏音の波形をＡ／Ｄ変換し、これをデジタル波形データ（以下、カラオケ再生音データという）として出力するデジタル出力インターフェース２０が接続されている。また、カラオケデータ記憶部１６には、個々の演奏曲のカラオケ再生音データに重ねられるべきプロの歌手の歌声の再生音波形をデジタル化したデータ（以下、歌声データという）を記憶する歌声データ記憶部２７が設けられている。そして、デジタル出力インターフェース２０からのカラオケ再生音データがバスＡにより、また、カラオケ制御部１０によって読み出された歌詞データ、背景映像データ及び歌声データが、それぞれバスＢ〜Ｄを介して、再生音データ記録システム（以下、単に記録システムともいう）２９の記録制御部（記録制御手段）３０に送られるようになっている。」
　
（キ）「【００１７】
　記録システム２９は、ＣＰＵ３１、ＲＯＭ３２、ＲＡＭ３３等が内蔵された前述の記録制御部３０を有し、この記録制御部３０に、カラオケ演奏データ選択手段としての入力部３４、料金検出部３５、カラオケ制御部１０から送られてくる歌詞データに基づいてカラオケ演奏曲に対応する歌詞を印字出力するプリンタ３６、コンパクトディスク（以下、ＣＤという）記録装置３７、光学式ビデオディスク（以下、ＬＤという）記録装置３８、光磁気ディスク（以下、ＭＯという）記録装置３９、テープレコーダ（例えばカセットデッキ等）４０等の各種再生音データ記録手段、及びモニタ制御部４３及びＣＲＴ、液晶ディスプレイ等のモニタ４４がそれぞれ接続されている。
　　　【００１８】
　デジタル出力インターフェース２０及びカラオケ制御部１０からバスＡ〜Ｄを介して送られてくるカラオケ再生音データ、歌詞データ、背景映像データならびに歌声データは、記録制御部３０に接続されたマルチプレクサ４１によって適宜選択・多重化され、バスＥ〜Ｈを介して各記録装置３７〜３９及びテープレコーダ４０に送られる。例えば、ＣＤ記録装置３７、ＭＯ記録装置３９及びテープレコーダ４０へはカラオケ再生音データないしはそれに歌声データが多重化されたものが、ＬＤ記録装置３８にはカラオケ再生音データ、歌詞データ及び背景映像データが多重化されたものがそれぞれ送信される。（〜後略）」
　
（ク）「【００１９】
　次に、図２に示すように、カラオケ制御部１０のＲＡＭ１３には、予約された演奏曲の曲番号や曲名等、演奏曲を特定するためのデータを記憶する曲予約メモリ１３ａが設けられている（以下、本実施例では、曲番号により演奏曲を特定するものとする）。このデータは、入力部１９から入力されることにより、又は記録制御部３０からバスＴ（図１）を介して転送されることにより曲予約メモリ１３ａに蓄積される。また、ＲＯＭ１２には、以下の各プログラムが格納されている。
［1］音楽演奏プログラム１２ａ：カラオケ演奏データ記憶部２４からカラオケ演奏データを読み出して曲の演奏を行う。
［2］歌詞出力プログラム１２ｂ：歌詞データ記憶部２５に記憶された歌詞データを歌詞テロップに変換してモニタ７に出力する。
［3］背景映像出力プログラム１２ｃ：背景映像データ記憶部２６に記憶された背景映像データを読み込んでモニタ７に出力する。
［4］データ転送プログラム１２ｄ：カラオケ再生音データ、歌詞データ、背景映像データ及び歌唱データのうち、リクエストのあったものを記録システム側へ転送する。
［5］演奏時間算出プログラム１２ｅ：選択された演奏曲に対応するカラオケ演奏データのサイズから、曲の演奏時間を算出する。」
　
（ケ）「【００２０】
　一方、図３に示すように、記録制御部３０のＲＡＭ３３には、入力部３４から選曲のために入力された曲番号等のデータを記憶する選曲メモリ３３ａ、及び料金データを記憶する料金メモリ３３ｂが設けられている。また、ＲＯＭ３２には、以下の各プログラムが格納されている。
［1］記録制御プログラム３２ａ：記録装置３７〜３９あるいはテープレコーダ４０の駆動と、カラオケ再生音データ、歌声データ、歌詞データ及び背景映像データ等の所定の記録媒体への記録を制御する。
（〜中略〜）
［3］記録残量管理プログラム３２ｃ：記録媒体の空き容量を管理し、記録制御プログラム３２ａと共働して記録媒体へのデータ記録を制御する。すなわち、記録制御部３０に組み込まれることにより、記録残量検出手段を形成することとなる。」
　
（コ）「【００２１】
　以下、これらプログラムに基づくカラオケ装置１の作動をフローチャートを使用して説明する。
　図４は、カラオケ制御部１０側における処理の流れを示している。まず、S1において入力部１９から曲番号の入力を行う。また、S2において記録システム２９側から曲番号が送信されてきていればこれを受信する。そして、これら曲番号を曲予約メモリ１３ａに記憶する（S3）。そして、演奏曲が予約されると音楽演奏プログラム１２ａが起動し、S4において曲予約メモリ１３ａに記憶された曲番号のうちの先頭のものが読み出され、S5においてその曲番号に対応するカラオケ演奏データが読み出される。また、S6及びS7においてそのカラオケ演奏データに対応する歌詞データ及び背景映像データがそれぞれ読み出される。
　　　【００２２】
　ここで、記録システム２９側で選択された演奏曲は記録媒体への記録を前提としており、記録の対象となるデータをリクエストするためのリクエスト信号が、対応する曲番号とともに送信されてきている。そして、リクエストされたデータはS11において記録システム２９側へ転送されることとなる。ここで、本実施例におけるカラオケ演奏データは、前述の通りＭＩＤＩ規格に基づく音色、音高、音長、音の強弱等に対応する信号データであって、実際の演奏音の楽音波形に対応するものではない。従って、これをそのままＣＤ等の媒体に記録した場合、一般のＣＤプレーヤー等では演奏音の再生ができない問題を生ずる。そこで、本実施例においては、S10において、カラオケ演奏データを楽音合成部１７に送って演奏音を合成した後、その波形信号をデジタル出力インターフェース２０においてデジタル化処理したものを、カラオケ再生音データとして記録システム２９側に送信する方式を採用している。しかしながら、ＭＩＤＩ規格データを直接記録して、当該データの解読が可能なＭＩＤＩ規格仕様の電子楽器ないし演奏装置等において再生する方式も不可能ではない。一方、カラオケ演奏データを始めからデジタル波形データとしてカラオケデータ記憶部１６に記憶しておいてもよく、この場合はそのデジタル波形データを楽音合成部１７を介さずに記録制御部３０へ送ることができる。なお、S8において歌声データがリクエストされている場合には、S9においてこれが読み出され、S11において他のデータとともに転送される。
　　　【００２３】
　次に、S12において、読み出されたカラオケ演奏データに基づいて曲が演奏される。曲の演奏が終了すると、S13において、曲予約メモリ１３ａに次の演奏曲の曲番号が記憶されているかどうかを判定する。記憶されていればS4に戻って、曲予約メモリ１３ａから次の演奏曲の曲番号が読み出され、以下同じ処理が繰り返される。また、記憶されていなければS1に戻って曲番号入力を待機する。なお、曲予約メモリ１３ａに曲番号が記憶されている場合でも、曲番号の入力は随時行うことができ、演奏曲の予約を行うことができる。また、S15において終了信号が検出されれば処理は終了する。以上が、カラオケ制御部１０側における処理の流れである。」
　
（サ）「【００２４】
　次に、記録システム２９側の処理の流れを図５〜図９のフローチャートを用いて説明する。なお、本実施例では、記録媒体へのデータ記録に必要な各入力項目に対応して、その入力操作を支援する表示内容を、記録システム２９側のモニタ４４に表示しながら処理を進めるものとする。ここで、記録制御部３０とモニタ制御部１８とを接続しておき、カラオケ制御部１０側のモニタ７を上記表示に使用してもよい。
　　　【００２５】
　まず、図５のR1において、データをテープレコーダ４０に記録する場合のテープ残量Ｔ1と、投入金額Ｄの値を予めリセットする。ここでＤの値はＲＡＭ３３の料金メモリ３３ｂに記憶される。次に、モニタ７に表示を行い、どの記録媒体に記録するかの選択を促す（R2）。使用者はこれに従って、１：ＣＤ、２：ＭＯ、３：カセットテープ及び４：ＬＤのいずれかを選択する（R3）。次に、記録したい１ないし複数の演奏曲について、その曲番号を順次入力し、選曲が終了したら選曲終了の入力を行う（R4〜R6）。そして、R7において、選択された記録媒体がＬＤ以外の場合はR8に進み、選択された演奏曲の演奏時間データをリクエストする信号をカラオケ制御部１０に送信する。カラオケ制御部１０側では、リクエストされた演奏曲の演奏時間を例えばカラオケ演奏データのサイズ等から計算し、演奏時間データとして記録制御部３０に送り返す。記録制御部３０はR9において、個々の演奏曲の演奏時間データを受けて合計演奏時間Ｔ0を算出し、R10においてその算出結果及び選曲をやり直すかどうかの指示をモニタ４４に表示してR11に進む。もし選曲をやり直す場合は、選曲やり直しの入力を行うことにより選曲メモリ３３ａがリセットされ（R12、R13）、R4に戻って選曲をやり直す。
　　　【００２６】
　次に、R11において選曲をやり直さない場合は図６のR14に進み、選択された記録媒体がカセットテープであるかどうかを確認する。カセットテープでない場合（すなわちＣＤ又はＭＯが選択された場合）にはR15に進んで、ＣＤ記録装置３７又はＭＯ記録装置３９（図１）に記録媒体としてのＣＤ又はＭＯがセットされているかをどうかを確認し、セットされていなければR16で媒体をセットしてR17に進む。R17では、セットされた記録媒体の空き容量を読み取って記録可能時間Ｔ1に換算する。そして、R18において、先に計算されている合計演奏時間Ｔ0と記録可能時間Ｔ1とを比較し、Ｔ1≧Ｔ0であればR19に進んで、選択された演奏曲のカラオケ再生音データと歌詞データとをカラオケ制御部１０にリクエストする。一方、Ｔ1＜Ｔ0の場合はR181に進んで不足時間Ｔ2＝Ｔ1−Ｔ0を算出し、媒体の記録残量がＴ2だけ不足している旨のメッセージ及び選曲やり直すかどうかの指示を表示してS24に進み、選曲をやり直す場合は図５のR12に戻る。また、選曲をやり直さない場合は、媒体の交換を命ずる表示を行って媒体をイジェクトし（R25及びR26）、R15に戻る。」
　
（シ）「【００３４】
（〜中略〜）
また、記録のための選曲はカラオケ制御部側の入力部１９（図７）を使用してもよい。また、記録制御部３０をカラオケ制御部１０に兼用させ、記録制御部３０を省略する構成も可能である。」
　
　上記（ア）ないし（シ）の記載事項及び図面を勘案すると、刊行物１には、次の発明（以下、「刊行物１発明」という。）が記載されていると認められる。
　
「ＭＩＤＩ規格に基づいて構成されたカラオケ演奏データを記憶するカラオケ演奏データ記憶部２４と、各カラオケ曲の歌詞データを記憶する歌詞データ記憶部２５と、各曲に対応するそれぞれの背景映像データ、あるいは各曲と一対一では対応しない幾つかの異なる背景映像データを記憶している背景映像データ記憶部２６と、個々の演奏曲のカラオケ再生音データに重ねられるべきプロの歌手の歌声の再生音波形をデジタル化したデータを記憶する歌声データ記憶部２７とが設けられているカラオケデータ記憶部１６と、
　カラオケ演奏曲の予約や記録のための選曲を行うために曲番号の入力を行う入力部１９と、
　歌詞データ記憶部２５から送られてくる歌詞データを、歌詞テロップとしてＣＲＴ等のモニタ７に視覚的に表示可能な映像信号に変換するとともに、背景映像データ記憶部２６から送られる背景映像データを歌詞テロップと合成してモニタ７に表示するモニタ制御部１８と、カラオケデータ記憶部１６のカラオケ演奏データ記憶部２４に記憶されたカラオケ演奏データを出力するＭＩＤＩインターフェース１７ａと、例えばシンセサイザ等で構成され、ＭＩＤＩインターフェース１７ａからのカラオケ演奏データ記憶部２４から送られてくるカラオケ演奏データに基づいて、各楽器の演奏音を構成する音源となる楽音合成部１７と、この演奏信号を増幅するとともに、マイク５を介して入力される利用者の歌声と適度の割合でミキシングするアンプミキサ８と、アンプミキサ８からの信号を出力するスピーカ６と、
　上記楽音合成部１７と接続され、記録システム２９とバスＡを介して接続するデジタル出力インターフェース２０と、
　上記入力部１９への曲番号の入力に基づいて、上記カラオケ演奏データ記憶部２４からカラオケ演奏データを読み出して曲の演奏を行うＲＯＭ１２に格納された音楽演奏プログラム１２ａによって、上記カラオケデータ記憶部１６のカラオケ演奏データ記憶部２４に記憶されているカラオケ演奏データのうち、上記入力された曲番号に対応するカラオケ演奏データを上記ＭＩＤＩインターフェース１７ａを介して上記楽音合成部１７、アンプミキサ８、スピーカ６に再生させ、上記記録システム２９の記録媒体の空き容量から換算した記録可能時間Ｔ１が上記入力された曲番号に対応するカラオケ演奏データのサイズから算出した演奏時間Ｔ０以上であれば、上記ＭＩＤＩインターフェース１７ａ、楽音合成部１７、出力インターフェース２０を介して、上記入力された曲番号に対応するカラオケ演奏データを上記記録システム２９に送信させ、上記記録システム２９の記録媒体の空き容量から換算した記録可能時間Ｔ１が上記入力された曲番号に対応するカラオケ演奏データのサイズから算出した演奏時間Ｔ０未満であれば、上記入力部１９への曲番号の入力に基づいて上記カラオケ演奏データ記憶部２４に記憶されているカラオケ演奏データの中から選択されたカラオケ演奏データのサイズから算出した演奏時間が上記記録システム２９の記録媒体の空き容量から換算した記録可能時間Ｔ１未満になったときに、上記ＭＩＤＩインターフェース１７ａ、楽音合成部１７、出力インターフェース２０を介して、上記記録システム２９に上記選択されたカラオケ演奏データを送信させるカラオケ制御部１０と
　を備えるカラオケ装置。」
　
＜刊行物２＞
　原査定の拒絶の理由に引用された、本願出願前に頒布された刊行物である特開平５−１３５２２８号公報（以下、「刊行物２」という。）には、図面とともに以下の技術事項が記載されている。
　
（ス）「【０２６９】
　図６７には、本発明によるディジタル信号受渡しシステムの具体的な一実施例の外観を示す。図において、図１、図３、図７、図１０もしくは図５９と同一部分には同一番号を符すことにより詳細な説明は省略する。
　　　【０２７０】
　１００１は主に半導体メモリより構成されるメモリカードもしくはＩＣカード等からなる小型の記憶回路部を示す。本実施例は、プレーヤ１０１にさらに機能を付加するためもしくはメモリ増設のための親、子、孫タイプのデジタル信号受渡しシステムを示すものである。同図の端末装置１００には外部入力信号録音時のアナログ／デジタル変換回路のサンプリング周波数である第１のクロックを有し、また端末装置１００からプレーヤ１０１へ音声のデジタル信号を転送する高速の第２のクロックを有する。さらに、プレーヤ１０１は再生時のデジタル／アナログ変換回路のサンプリング周波数である第３のクロックを有する。
　　　【０２７１】
　またプレーヤ１０１は同プレーヤから記憶回路部へデジタル信号を転送するための高速な第４クロックを有する。なお，端末装置１００とプレーヤ１０１が接続状態で使用される場合、この第４のクロックは第２のクロックを用いてもよい。少なくともその場合は第４のクロックを省くことができる。これらのクロックの中で録音もしくは再生用の第１と第３のクロックは、それぞれ可変できる。音楽では音声のサンプリング周波数を高速にでき、より高音質な再生音が期待できる。また会話ではサンプリング周波数を低速にしてメモリ使用を節約できる。
　　　【０２７２】
　例えば同図の利用形態では、親である端末装置１００から任意の音声ファイルを選択して、子である電子手帳程度の大きさのプレーヤ１０１に情報を転送する第２のクロックで高速書き込みし、さらに記憶回路部で孫になる小さなメモリカードもしくはＩＣカードに高速な第４のクロックで転送記録し、記録した内容を他のプレーヤ１０１もしくは電子手帳等と共有化できる。
　　　【０２７３】
　また、製造、ソフトウェア開発メーカ側がメモリカードもしくはＩＣカードの形で音声情報、処理プログラム等を提供することも考えられる。さらにプレーヤ１０１に音声信号を文章化する等オプション機能を付加し、文章を記憶回路部内に記憶する等も可能になる。なお、孫のカードは半導体メモリを用いたカードに限定するものではなく、将来は、超小型の各種光、磁気ディスク等のメディア使用も考えられる。
　　　【０２７４】
　なお、この実施例のプレーヤは図１０に示す記憶回路部が着脱式のものであるが、これに限定されるものではない。情報を端末装置１００からプレーヤ１０１に転送する場合には、記憶回路部を装着した状態のプレーヤを端末装置１００のプレーヤ挿入口６７０１に実装して、選択した情報をプレーヤに高速転送する。このとき、端末装置１００の操作スイッチ群６７０２の操作により記憶部３０３に蓄積された情報の中から転送すべき情報の選択を行なう。再生時は、プレーヤを端末装置１００から引出し、単独で再生する。（〜後略）」
　
（セ）「【０２７５】
　図６８には、本発明によるディジタル信号受渡しシステムの他の具体的な一実施例の外観を示す。図において、図１、図３、図４、図７、図１０、図５９もしくは図６７と同一部分には同一番号を符すことにより詳細な説明は省略する。
　　　【０２７６】
　４０６はスピーカ、６７０２は記録再生を行う操作部を示し、端末装置１００自体も録音再生機能を有する装置を示す。例えば、端末装置１００はＦＭ，ＡＭ，ＴＶ等ラジオ、光ディスク、磁気ディスク、デジタルオーディオテープ、またタイマ予約録音等の機能を少なくとも有する多機能形音声録音再生装置であり、本発明のデジタル信号受渡しシステムを付加することにより、さらにマルチメディア化を促進拡張できる。」
　
（ソ）「【０２８７】
　図７０の概念図は、空港に設置した端末装置１００から、自宅の留守番電話機の用件を瞬時にプレーヤ１０１に移し、次の動作、例えばプレーヤ１０１を上着のポケットに入れて聞けるようにしたものを示している。（〜中略〜）
　　　【０２８８】
　同様に図７１には、最新ニュースや株式市況等の新鮮な情報を衛星通信を介して、国内外の端末装置１００を設置してあるホテルで、好きな時間にプレーヤ１０１に移し取って聞く概念図が示されている。（〜中略〜）
本願では、既存のディジタルデータ通信回線に接続した端末装置１００に情報を溜め込み、その中から欲しい情報のみを欲しい時に、プレーヤ１０１に提供することができる。一度プレーヤ１０１に転送された情報は、食事をしながらでも、ベッドに寝転びながらでも、くり返し聞けることは言うまでもない。（〜中略〜）
　　　【０２８９】
　図７２には、レコード店での端末装置１００とプレーヤ１０１の使われ方が示されている。（〜中略〜）
そこで、レコード店やレンタルショップでは、ハードディスクメモリ等のメモリ容量の大きい大容量ファイルを具備した端末装置１００を設置し、液晶表示器に表示された販売可能な曲名を選択させ、瞬時にプレーヤ１０１に目的とする音楽プログラムをダビングして販売する（〜中略〜）
　　　【０２９０】
　図７３には、病院におけるサービスの一環として、正しく新しい医学情報（医学全書にのっている事柄）を社会に提供し、正確な医学知識を患者に伝えて節制を促したり、日常生活や予防医学等の指導に役立つことを目的とした一例が示されている。
（〜中略〜）
　　　【０２９２】
　本願の端末装置１００とプレーヤ１０１を使えば、こうした問題点が一気に解決してしまう。ＣＤ−ＲＯＭに格納したと同じ医学全書を、音声情報の形であらかじめ端末装置１００のハードディスクメモリ等の大容量ファイルに記憶させておく。液晶表示器上に表示された病名を、タッチキーで選択入力することにより、それに対応した情報が大容量ファイルから読出されて極く短時間のうちにプレーヤ１０１に高速転送される。患者はプレーヤ１０１を端末装置１００から抜き取り、それをポケットに入れて好みの場所で、再生すればよい。リピート機能を使えば何度でもくり返し聞くこともできる。以上のように、本願は個人情報機器として最適なシステムを提供するものである。」
　
　上記（ス）ないし（ソ）の記載事項及び図面を勘案すると、刊行物２には、次の発明（以下、「刊行物２発明」という。）が記載されていると認められる。
　
　「上着のポケットに入れたり、食事をしながら、ベッドに寝転びながら等、好きな時間に好みの場所で繰り返し聞くことができる電子手帳程度の大きさで記憶回路部を装着した状態のプレーヤ１０１を接続するためのプレーヤ挿入口６７０１を備え、音楽プログラムを上記プレーヤ１０１に転送して記録する録音再生機能を有する端末装置１００。」
　
３．対比
　本願補正発明を、刊行物１発明と比較する。
　
（ア）刊行物１発明における「ＭＩＤＩ規格に基づいて構成されたカラオケ演奏データ」、「各カラオケ曲の歌詞データを記憶する歌詞データ」、「各曲に対応するそれぞれの背景映像データ、あるいは各曲と一対一では対応しない幾つかの異なる背景映像データ」及び「個々の演奏曲のカラオケ再生音データに重ねられるべきプロの歌手の歌声の再生音波形をデジタル化したデータ」は、すべて本願補正発明における「曲情報」に相当するから、刊行物１発明における「ＭＩＤＩ規格に基づいて構成されたカラオケ演奏データを記憶するカラオケ演奏データ記憶部２４と、各カラオケ曲の歌詞データを記憶する歌詞データ記憶部２５と、各曲に対応するそれぞれの背景映像データ、あるいは各曲と一対一では対応しない幾つかの異なる背景映像データを記憶している背景映像データ記憶部２６と、個々の演奏曲のカラオケ再生音データに重ねられるべきプロの歌手の歌声の再生音波形をデジタル化したデータを記憶する歌声データ記憶部２７とが設けられているカラオケデータ記憶部１６」は、本願補正発明における「曲情報を記憶する記憶手段」に相当する。
　
（イ）刊行物１発明における「カラオケ演奏曲の予約や記録のための選曲を行うために曲番号の入力を行う入力部１９」は、上記入力部１９への曲番号の入力に基づいて、上記カラオケデータ記憶部１６のカラオケ演奏データ記憶部２４に記憶されているカラオケ演奏データのうち、上記入力された曲番号に対応するカラオケ演奏データを上記ＭＩＤＩインターフェース１７ａを介して上記楽音合成部１７、アンプミキサ８、スピーカ６で再生されるから、上記（ア）における「曲情報」に関する記載を考慮すると、本願補正発明における「上記曲情報を再生させるための操作入力を受け付ける操作入力手段」に相当する。
　
（ウ）刊行物１発明における「歌詞データ記憶部２５から送られてくる歌詞データを、歌詞テロップとしてＣＲＴ等のモニタ７に視覚的に表示可能な映像信号に変換するとともに、背景映像データ記憶部２６から送られる背景映像データを歌詞テロップと合成してモニタ７に表示するモニタ制御部１８と、カラオケデータ記憶部１６のカラオケ演奏データ記憶部２４に記憶されたカラオケ演奏データを出力するＭＩＤＩインターフェース１７ａと、例えばシンセサイザ等で構成され、ＭＩＤＩインターフェース１７ａからのカラオケ演奏データ記憶部２４から送られてくるカラオケ演奏データに基づいて、各楽器の演奏音を構成する音源となる楽音合成部１７と、この演奏信号を増幅するとともに、マイク５を介して入力される利用者の歌声と適度の割合でミキシングするアンプミキサ８と、アンプミキサ８からの信号を出力するスピーカ６」は、上記（ア）における「曲情報」に関する記載を考慮すると、上記「曲情報」に含まれる「歌詞データ」及び「背景映像データ」を映像信号として上記「モニタ７」に表示し、同じく上記「曲情報」に含まれる「カラオケ演奏データ」を楽器の演奏音として上記「スピーカ６」から出力するから、本願補正発明における「上記曲情報を再生する再生手段」に相当する。
　
（エ）刊行物１発明における「記録システム２９」は、携帯型であるか否か不明であり、また、再生機能はないが、本願補正発明における「携帯型の記録再生機器」とは、「記録機器」である点において一致しているから、刊行物１発明における「記録システム２９とバスＡを介して接続するデジタル出力インターフェース２０」と本願補正発明における「携帯型の記録再生機器と接続するための接続手段」とは、「記録機器と接続するための接続手段」という点で一致している。
　
（オ）刊行物１発明では「上記入力部１９への曲番号の入力に基づいて」、「上記カラオケデータ記憶部１６のカラオケ演奏データ記憶部２４に記憶されているカラオケ演奏データのうち、上記入力された曲番号に対応するカラオケ演奏データを」、「上記ＭＩＤＩインターフェース１７ａを介して上記楽音合成部１７、アンプミキサ８、スピーカ６に再生させ」ていることから見て、上記（ア）における「曲情報」に関する記載を考慮すると、「上記入力された曲番号に対応するカラオケ演奏データ」は本願補正発明における「所定の曲情報」に相当するから、刊行物１発明における「上記入力部１９への曲番号の入力に基づいて、上記カラオケ演奏データ記憶部２４からカラオケ演奏データを読み出して曲の演奏を行うＲＯＭ１２に格納された音楽演奏プログラム１２ａによって、上記カラオケデータ記憶部１６のカラオケ演奏データ記憶部２４に記憶されているカラオケ演奏データのうち、上記入力された曲番号に対応するカラオケ演奏データを上記ＭＩＤＩインターフェース１７ａを介して上記楽音合成部１７、アンプミキサ８、スピーカ６に再生させ」ることは、上記（ア）における「曲情報を記憶する記憶手段」に関する記載、上記（イ）における「上記曲情報を再生させるための操作入力を受け付ける操作入力手段」に関する記載及び上記（ウ）における「上記曲情報を再生する再生手段」に関する記載を考慮すると、本願補正発明における「上記操作入力手段への操作入力に基づいて、上記記憶手段に記憶されている曲情報のうち所定の曲情報を上記再生手段に再生させ」ることに相当する。
　
（カ）刊行物１発明における「上記記録システム２９の記録媒体の空き容量から換算した記録可能時間Ｔ１」と本願補正発明における「上記記録再生機器の記憶可能容量」とは、上記（エ）における「記録機器」に関する記載を考慮すると、「上記記録機器の記憶可能容量に基づいて得られる値」という点で一致している。
　また、刊行物１発明における「上記入力された曲番号に対応するカラオケ演奏データのサイズから算出した演奏時間Ｔ０」と本願補正発明における「所定の曲情報のデータ量」とは、上記（オ）の「所定の曲情報」に関する記載を考慮すると、「所定の曲情報のデータ量に基づいて得られる値」という点で一致している。
　さらに、刊行物１発明における「上記入力部１９への曲番号の入力に基づいて上記カラオケ演奏データ記憶部２４に記憶されているカラオケ演奏データの中から選択されたカラオケ演奏データのサイズから算出した演奏時間」と本願補正発明における「上記操作入力手段への操作入力に基づいて上記曲情報の中から選択された曲情報のデータ量」とは、上記（ア）における「曲情報」に関する記載及び上記（イ）における「操作入力手段」に関する記載を考慮すると、「上記操作入力手段への操作入力に基づいて上記曲情報の中から選択された曲情報のデータ量に基づいて得られる値」という点で一致している。
　してみると、刊行物１発明における「上記記録システム２９の記録媒体の空き容量から換算した記録可能時間Ｔ１が上記入力された曲番号に対応するカラオケ演奏データのサイズから算出した演奏時間Ｔ０以上であれば、上記ＭＩＤＩインターフェース１７ａ、楽音合成部１７、出力インターフェース２０を介して、上記入力された曲番号に対応するカラオケ演奏データを上記記録システム２９に送信させ、上記記録システム２９の記録媒体の空き容量から換算した記録可能時間Ｔ１が上記入力された曲番号に対応するカラオケ演奏データのサイズから算出した演奏時間Ｔ０未満であれば、上記入力部１９への曲番号の入力に基づいて上記カラオケ演奏データ記憶部２４に記憶されているカラオケ演奏データの中から選択されたカラオケ演奏データのサイズから算出した演奏時間が上記記録システム２９の記録媒体の空き容量から換算した記録可能時間Ｔ１未満になったときに、上記ＭＩＤＩインターフェース１７ａ、楽音合成部１７、出力インターフェース２０を介して、上記記録システム２９に上記選択されたカラオケ演奏データを送信させる」ことと本願補正発明における「上記記録再生機器の記憶可能容量が上記所定の曲情報のデータ量以上であれば、上記接続手段を制御して上記所定の曲情報を上記記録再生機器に送信させ、上記記録再生機器の記憶可能容量が上記所定の曲情報のデータ量未満であれば、上記操作入力手段への操作入力に基づいて上記曲情報の中から選択された曲情報のデータ量が上記記録再生機器の記憶可能容量未満になったときに、上記制御手段を制御して上記記録再生機器に上記選択された曲情報を送信させる」こととは、「上記記録機器の記憶可能容量に基づいて得られる値が上記所定の曲情報のデータ量に基づいて得られる値以上であれば、上記所定の曲情報を上記記録機器に送信させ、上記記録機器の記憶可能容量に基づいて得られる値が上記所定の曲情報のデータ量に基づいて得られる値未満であれば、上記操作入力手段への操作入力に基づいて上記曲情報の中から選択された曲情報のデータ量に基づいて得られる値が上記記録機器の記憶可能容量に基づいて得られる値未満になったときに、上記記録機器に上記選択された曲情報を送信させる」という点で一致している。
　
（キ）刊行物１発明における「カラオケ制御部１０」及び「カラオケ装置」は、それぞれ本願補正発明における「制御手段」及び「楽曲再生装置」に相当する。
　
　すると、本願補正発明と、刊行物１発明とは、次の点で一致する。
＜一致点＞
　曲情報を記憶する記憶手段と、
　上記曲情報を再生させるための操作入力を受け付ける操作入力手段と、
　上記曲情報を再生する再生手段と、
　記録機器と接続するための接続手段と、
　上記操作入力手段への操作入力に基づいて、上記記憶手段に記憶されている曲情報のうち所定の曲情報を上記再生手段に再生させ、上記記録機器の記憶可能容量に基づいて得られる値が上記所定の曲情報のデータ量に基づいて得られる値以上であれば、上記所定の曲情報を上記記録機器に送信させ、上記記録機器の記憶可能容量に基づいて得られる値が上記所定の曲情報のデータ量に基づいて得られる値未満であれば、上記操作入力手段への操作入力に基づいて上記曲情報の中から選択された曲情報のデータ量に基づいて得られる値が上記記録機器の記憶可能容量に基づいて得られる値未満になったときに、上記記録機器に上記選択された曲情報を送信させる制御手段と
　を備える楽曲再生装置。
　
　一方で、両者は、次の点で相違する。
＜相違点１＞
　「記録機器」が、本願補正発明では、「携帯型」であって、「再生」も可能な「携帯型の記録再生機器」であるのに対し、刊行物１発明では、記録媒体にカラオケ演奏データを記録する「記録システム」であって、「携帯型」及び「再生」に関して不明である点。
　
＜相違点２＞
　「制御手段」が、本願補正発明では、「上記接続手段を介して上記記録再生機器の固有の識別子を受信し、上記受信した固有の識別子が所定の識別子であるときに、」曲情報を送信する制御を行うのに対し、刊行物１発明では、「識別子」を使用した制御を行っていない点。
　
＜相違点３＞
　「上記記録機器の記憶可能容量に基づいて得られる値」、「所定の曲情報のデータ量に基づいて得られる値」及び「上記操作入力手段への操作入力に基づいて上記曲情報の中から選択された曲情報のデータ量に基づいて得られる値」が、本願補正発明では、それぞれ「上記記録機器の記憶可能容量」、「所定の曲情報のデータ量」及び「上記操作入力手段への操作入力に基づいて上記曲情報の中から選択された曲情報のデータ量」であるのに対し、刊行物１発明では、それぞれ「上記記録システム２９の記録媒体の空き容量から換算した記録可能時間Ｔ１」、「上記入力された曲番号に対応するカラオケ演奏データのサイズから算出した演奏時間Ｔ０」及び「上記入力部１９への曲番号の入力に基づいて上記カラオケ演奏データ記憶部２４に記憶されているカラオケ演奏データの中から選択されたカラオケ演奏データのサイズから算出した演奏時間」という容量やデータ量を「演奏時間」に変換した値である点。
　
＜相違点４＞
　「所定の曲情報」や「選択された曲情報」を「記録機器」に送信する際に、「制御手段」は、本願補正発明では、「上記接続手段を制御して」送信させるのに対し、刊行物１発明では、「上記ＭＩＤＩインターフェース１７ａ、楽音合成部１７、出力インターフェース２０を介して」送信させており、これらを制御しているか否か明確ではない点。
　
４．判断
　上記相違点１ないし４について検討する。
　
（ア）相違点１について
　刊行物２発明における「上着のポケットに入れたり、食事をしながら、ベッドに寝転びながら等、好きな時間に好みの場所で繰り返し聞くことができる電子手帳程度の大きさで記憶回路部を装着した状態のプレーヤ１０１」は、「端末装置１００」から「音楽プログラム」を転送して記録し、再生することから、本願補正発明における「携帯型の記録再生機器」に相当する。
　また、刊行物２発明における「プレーヤ挿入口６７０１」は、「プレーヤ１０１」と「端末装置１００」とを接続する部分であるから、本願補正発明における「接続手段」に相当する。
　さらに、刊行物２発明における「音楽プログラム」は、本願補正発明における「曲情報」に相当する。
　加えて、刊行物２発明における「端末装置１００」は、録音再生機能を有する装置であり、当該録音再生を「音楽プログラム」に関して行うことが可能であるから、本願補正発明における「楽曲再生装置」に相当する。
　そして、刊行物１発明と刊行物２発明とは、ともに楽曲再生装置という同一の技術分野に属し、曲情報を送信して記録手段に記録させることが可能であるという点で共通しているから、刊行物１発明における「記録機器」に代えて刊行物２発明における「携帯型の記録再生機器」を適用し、その際、刊行物２発明のように、当該「携帯型の記録再生機器」に適応する「接続手段」を使用することは、当業者が適宜なし得ることである。
　
（イ）相違点２について
　個々の機器を判別するために「識別子」を使用することは常套技術（例えば、特開平９−２５２３７１号公報（段落【００３３】及び図６）等参照）であるから、刊行物１発明においても、「識別子」を使用して個々の機器を判別して曲情報を送信するようにすることは、当業者が適宜なし得ることである。その際、具体的構成として、「制御手段」が、「上記接続手段を介して上記記録再生機器の固有の識別子を受信し、上記受信した固有の識別子が所定の識別子であるときに、」曲情報を送信するようにすることは、当業者における設計的事項である。
　
（ウ）相違点３について
　２つの値を比較する際に、その値そのもので比較するか、その値に基づいて得られる値で比較するかは、比較の精度やユーザーの理解し易さ等に基づいて、当業者が適宜選択し得る設計的事項であるから、刊行物１発明において、比較の際に、「上記記録システム２９の記録媒体の空き容量から換算した記録可能時間Ｔ１」、「上記入力された曲番号に対応するカラオケ演奏データのサイズから算出した演奏時間Ｔ０」及び「上記入力部１９への曲番号の入力に基づいて上記カラオケ演奏データ記憶部２４に記憶されているカラオケ演奏データの中から選択されたカラオケ演奏データのサイズから算出した演奏時間」という容量やデータ量を「演奏時間」に変換した値を使用することに代えて、「演奏時間」に変換しないで、「上記記録機器の記憶可能容量」、「所定の曲情報のデータ量」及び「上記操作入力手段への操作入力に基づいて上記曲情報の中から選択された曲情報のデータ量」を直接使用することは、当業者が適宜なし得ることである。
　
（エ）相違点４について
　上記「第２〔理由〕２．（ク）」に記載しているように、「カラオケ制御部１０」の「ＲＯＭ１２」には、「カラオケ再生音データ、歌詞データ、背景映像データ及び歌唱データのうち、リクエストのあったものを記録システム側へ転送する」「データ転送プログラム１２ｄ」が格納されており、その用途を考えれば、上記「データ転送プログラム１２ｄ」は、リクエストのあったデータを記録システム側へ送信する際に起動することは明らかである。
　そして、このようにリクエストのあったデータを記録システム側へ送信する場合、当該データは「上記ＭＩＤＩインターフェース１７ａ、楽音合成部１７、出力インターフェース２０を介して」送信されるのであるから、「上記ＭＩＤＩインターフェース１７ａ、楽音合成部１７、出力インターフェース２０」が制御されて送信することも明らかであり、当該制御は、上記「カラオケ制御部１０」の上記「ＲＯＭ１２」に格納されている上記「データ転送プログラム１２ｄ」によって行われることも明らかである。
　してみると、上記「第２〔理由〕３．（キ）」における「制御手段」に関する記載及び上記「第２〔理由〕３．（エ）」における「接続手段」に関する記載を考慮すると、刊行物１発明において、「制御手段」が、「接続手段」を制御して曲情報を記録再生機器に送信することは、当然行っていることである。
　
　そして、上記各相違点を総合的に検討しても、楽曲再生装置という同一の技術分野に属する上記刊行物１発明と上記刊行物２発明及び上記常套技術を組み合わせることにより、本願補正発明を構成することは、当業者が容易に想到し得ることであり、その作用効果も当業者が予測し得るものにすぎない。
　したがって、本願補正発明は、刊行物１発明と刊行物２発明及び常套技術に基づいて当業者が容易に発明をすることができたものであり、特許出願の際独立して特許を受けることができないものである。
　
５．請求人の主張について
　請求人は、審判請求書の請求の理由において、「更に、本願の請求項１、請求項７、請求項１３に係る発明によれば、記録再生機器の記憶可能容量が所定の曲情報のデータ量未満である場合には、操作入力手段への操作入力に基づいて曲情報の中から選択された曲情報のデータ量が記録再生機器の記憶可能容量未満になった場合に、接続手段を制御して記録再生機器に選択された曲情報を送信させるので、単に所定の曲情報のデータ量が記録再生機器の記憶容量以上の場合に送信が中断されるのでなく、所定の曲情報の中からユーザーが送信したい曲情報を選択することで、選択された曲情報のデータ量が記録再生機器へ送信が可能なデータ量になった段階で、記録再生機器への送信を再開することが出来るため、記録再生機器の容量不足の場合にも送信する曲情報の再選択が容易に実行できるという引用文献１乃及び引用文献２、参考文献１乃至参考文献６の発明では達成し得ない本願の発明に特有の優れた効果を奏することができます。」、「本願の請求項１乃至請求項１８の発明によれば、単に所定の曲情報のデータ量が記録再生機器の記憶容量以上の場合に送信が中断されるのでなく、所定の曲情報の中からユーザーが送信したい曲情報を選択することで、選択された曲情報のデータ量が記録再生機器へ送信が可能なデータ量になった段階で、記録再生機器への送信を再開することが出来るため、記録再生機器の容量不足の場合にも送信する曲情報の再選択が容易に実行できるという引用文献１乃及び引用文献２、参考文献１乃至参考文献６の発明では達成し得ない本願の発明に特有の優れた効果を奏することができます。」と主張し、回答書において、「さらに、記録再生機器の記憶可能容量が所定の曲情報のデータ量未満である場合には、操作入力手段への操作入力に基づいて曲情報の中から選択された曲情報のデータ量が記録再生機器の記憶可能容量未満になった場合に、接続手段を制御して記録再生機器に選択された曲情報を送信させるので、単に所定の曲情報のデータ量が記録再生機器の記憶容量以上の場合に送信が中断されるのでなく、所定の曲情報の中からユーザーが送信したい曲情報を選択することで、選択された曲情報のデータ量が記録再生機器へ送信が可能なデータ量になった段階で、記録再生機器への送信を再開することができるため、記録再生機器の容量不足の場合にも送信する曲情報の再選択が容易に実行できる。」、「さらに、記録再生機器の記憶可能容量が所定の曲情報のデータ量未満である場合には、操作入力手段への操作入力に基づいて曲情報の中から選択された曲情報のデータ量が記録再生機器の記憶可能容量未満になった場合に、接続手段を制御して記録再生機器に選択された曲情報を送信させるので、単に所定の曲情報のデータ量が記録再生機器の記憶容量以上の場合に送信が中断されるのでなく、所定の曲情報の中からユーザーが送信したい曲情報を選択することで、選択された曲情報のデータ量が記録再生機器へ送信が可能なデータ量になった段階で、記録再生機器への送信を再開することができるため、記録再生機器の容量不足の場合にも送信する曲情報の再選択が容易に実行できるようにした本願発明は、上記引用文献１の開示技術等から容易に想到し得るものでなく、特許法第２９条第２項の規定に該当することなく、特許を受けることができるものであると思料する。」と主張しているが、本願補正発明の発明特定事項に「所定の曲情報の中からユーザーが送信したい曲情報を選択する」ことは無く（本件補正後の請求項１には、「上記操作入力手段への操作入力に基づいて上記曲情報の中から選択された曲情報のデータ量が上記記録再生機器の記憶可能容量未満になったときに、」と記載されているように、「所定の曲情報の中から」ではなく「曲情報の中から」ユーザーが曲情報を選択する。）、また、発明の詳細な説明及び図面を参酌しても、発明の詳細な説明では、「【００５８】　ステップＳ４３において、マイコン２６は、送信する楽曲データを選択するモードに移行する。ここで、マイコン２６は、操作入力部２９の操作により選択された楽曲のデータの合計が携帯カラオケ装置２０のＨＤＤ４２の記録可能な容量の範囲内になった場合に、ステップＳ４４に移行する。」とのみ記載され、図４のフローチャートを見ても、ステップＳ３５において選曲した曲情報の中からステップＳ４３において送信する楽曲を選択することは記載されていないため、上記請求人の主張は、本願補正発明に基づく主張ではなく、採用することはできない。
　なお、もし、上記請求人の主張どおり、「所定の曲情報の中からユーザーが送信したい曲情報を選択する」としたとしても、ユーザーが歌ったり選曲したりした楽曲について記録再生装置において曲情報を記録したいと考えることは普通のことであり、その記録したいと考える曲情報が記録再生装置の記憶可能容量が足りないために全部記録できないのであれば、その記録したいと考える楽曲の中から選択した楽曲の曲情報を記録するようにすることに何ら困難な点はなく、当業者が適宜なし得ることである。
　
６．本件補正についてのむすび
　以上のとおり、本件補正は平成１８年改正前特許法第１７条の２第５項において準用する同法第１２６条第５項の規定に違反するので、特許法第１５９条第１項において読み替えて準用する同法第５３条第１項の規定により却下すべきものである。
　
第３　本願発明について
１．本願発明
　平成２０年１月２８日付けの手続補正は上記のとおり却下されたので、本願の請求項１ないし２１に係る発明は、平成１９年８月２７日付け手続補正書により補正された明細書の特許請求の範囲の請求項１ないし２１に記載されたとおりのものであるところ、請求項１に係る発明（以下、「本願発明」という。）は、上記「第２〔理由〕１．」の本件補正前の請求項１として記載したとおりのものである。
　
２．引用例
　原査定の拒絶の理由で引用された引用例１、２及びその記載事項は、上記「第２〔理由〕２．」における刊行物１及び２に関して記載したとおりである。
　
３．対比・判断
　本願発明は、上記「第２〔理由〕」で検討した本願補正発明から、「制御手段」に関して、「上記操作入力手段への操作入力に基づいて、上記記憶手段に記憶されている曲情報のうち所定の曲情報を上記再生手段に再生させ、上記接続手段を介して上記記録再生機器の固有の識別子を受信し、上記受信した固有の識別子が所定の識別子であるときに、上記記録再生機器の記憶可能容量が上記所定の曲情報のデータ量以上であれば、上記接続手段を制御して上記所定の曲情報を上記記録再生機器に送信させ、上記記録再生機器の記憶可能容量が上記所定の曲情報のデータ量未満であれば、上記操作入力手段への操作入力に基づいて上記曲情報の中から選択された曲情報のデータ量が上記記録再生機器の記憶可能容量未満になったときに、上記接続手段を制御して上記記録再生機器に上記選択された曲情報を送信させる制御手段」とあったところを、「上記接続手段を介して上記記録再生機器の固有の識別子を受信し、上記受信した固有の識別子が所定の識別子であるかを判断し、上記操作入力手段への操作入力に基づいて、上記記憶手段に記憶されている曲情報のうち所定の曲情報を上記再生手段に再生させ、上記受信した固有の識別子が所定の識別子であるかに関する判断の結果に基づいて、上記所定の曲情報を上記記録再生機器に対して送信するように上記接続手段を制御する制御手段」と限定を解除したものに相当する。
　
　そうすると、本願発明の構成要件を全て含み、更に他の要件を付加したものである本願補正発明が、前記「第２〔理由〕４．」に記載したとおり、刊行物１、２に記載された発明及び常套技術に基づいて、当業者が容易に発明をすることができたものであるから、本願発明も、同様の理由により、刊行物１、２に記載された発明及び常套技術に基づいて当業者が容易に発明をすることができたものである。
　
第４　むすび
　以上のとおり、本願の請求項１に係る発明は、特許法第２９条第２項の規定により特許を受けることができないものである。
　したがって、その余の請求項について論及するまでもなく、本願は、拒絶すべきものである。
　よって、結論のとおり審決する。